(57)【要約】【課題】複数の縦線材と複数の横線材とが互いに交差するように固定された格子状又は網状の緑化面を構成する緑化ユニットを、段差を有する壁面に手間無く設置することができる壁面緑化体を提供することを課題としている。【解決手段】複数の縦線材４と複数の横線材６とが互いに交差するように固定された格子状又は網状の緑化ユニット２を備え、建造物の壁面に沿って前記緑化ユニット２が配置される壁面緑化体において、複数の緑化ユニット２を設け、隣接し合う緑化ユニット２同士を連結する枠状の連結部材３を設け、隣接する緑化ユニット２を段違いに連結する際に、両緑化ユニット２の段差に対応させて前記連結部材３の傾斜角を調整可能に構成した。【選択図】図２
0003161337.tif 000002
【実用新案登録請求の範囲】
【請求項１】
複数の縦線材（４）と複数の横線材（６）とが互いに交差するように固定された格子状又は網状の緑化ユニット（２）を備え、建造物の壁面に沿って前記緑化ユニット（２）が配置される壁面緑化体において、複数の緑化ユニット（２）を設け、隣接し合う緑化ユニット（２）同士を連結する枠状の連結部材（３）を設け、隣接する緑化ユニット（２）を段違いに連結する際に、両緑化ユニット（２）の段差に対応させて前記連結部材（３）の傾斜角を調整可能に構成した壁面緑化体。
【請求項２】
緑化ユニット（２）を建造物の壁面に沿って配置するにあたり、横線材（６）を該壁面側に突出する山形状に湾曲又は屈曲形成して取付部（９）を構成し、該山形状をなす取付部（９）の頂部を壁面側に取付けてなる請求項１に記載の壁面緑化体。
【請求項３】
前記取付部（９）を楔状に形成してなる請求項２に記載の壁面緑化体。
【請求項４】
前記横線材（６）を、平面視湾曲した壁面に沿って湾曲変形させることができる部材によって構成した請求項１乃至３の何れかに記載の壁面緑化体。
【請求項５】
前記横線材（６）を、平面視湾曲した壁面に沿って予め湾曲させてなる請求項４に記載の壁面緑化体。
【請求項６】
縦線材（４）の周面に、蔓植物が這うことを補助する補助部（８）を形成してなる請求項１乃至５の何れかに記載の壁面緑化体。
【請求項７】
縦線材（４）の周面に軸回りに上下傾斜する複数のリブ（２６）を一体的に突出形成することにより、前記補助部（８）を構成した請求項６に記載の壁面緑化体。
【請求項８】
縦線材（４）の周面にフレキシブルに変形するメッシュ状のシート（２２）を外装することにより、前記補助部（８）を構成した請求項６に記載の壁面緑化体。
【請求項９】
前記シート（２２）が布である請求項８に記載の壁面緑化体。
【請求項１０】
帯状をなす前記シート（２２）を螺旋状に縦線材（４）に巻きつけることにより、該シート（２２）を縦線材（４）に外装した請求項８又は９の何れかに記載の壁面緑化体。
【考案の詳細な説明】
【技術分野】
【０００１】
この考案は、ビル等の建造物の壁面を緑化するために使用される壁面緑化体に関する。
【背景技術】
【０００２】
複数の縦線材と複数の横線材とが互いに交差するように固定された格子状又は網状の緑化面を構成する緑化ユニットを備え、該緑化ユニットを建造物の壁面に沿って配置し、植栽された蔓植物が壁面に沿って上方側に生長することを前記緑化ユニットによって補助することにより該壁面を緑化させる特許文献１，２に示す壁面緑化体が従来公知である。
【先行技術文献】
【特許文献】
【０００３】
【特許文献１】特開２００６−７５００９号公報
【特許文献２】特開２００８−１１７７５号公報
【考案の概要】
【考案が解決しようとする課題】
【０００４】
上記文献の壁面緑化体は、緑化ユニットの数を増減させることにより、様々な大きさの壁面に対応させることができる一方で、壁面に段差がある場合、緑化ユニット同士を段違いに連結するために、その段差に程度に応じたサイズの連結部材を個別に用意する必要があり、汎用性が低くなる他、設置に手間が掛かる場合がある。
【０００５】
本考案は、複数の縦線材と複数の横線材とが互いに交差するように固定された格子状又は網状の緑化面を構成する緑化ユニットを、段差を有する壁面に手間無く設置することができる壁面緑化体を提供することを課題としている。
【課題を解決するための手段】
【０００６】
上記課題を解決するため本考案は、第１に、複数の縦線材４と複数の横線材６とが互いに交差するように固定された格子状又は網状の緑化ユニット２を備え、建造物の壁面に沿って前記緑化ユニット２が配置される壁面緑化体において、複数の緑化ユニット２を設け、隣接し合う緑化ユニット２同士を連結する枠状の連結部材３を設け、隣接する緑化ユニット２を段違いに連結する際に、両緑化ユニット２の段差に対応させて前記連結部材３の傾斜角を調整可能に構成したことを特徴としている。
【０００７】
第２に、緑化ユニット２を建造物の壁面に沿って配置するにあたり、横線材６を該壁面側に突出する山形状に湾曲又は屈曲形成して取付部９を構成し、該山形状をなす取付部９の頂部を壁面側に取付けることを特徴としている。
【０００８】
第３に、前記取付部９を楔状に形成したことを特徴としている。
【０００９】
第４に、前記横線材６を、平面視湾曲した壁面に沿って湾曲変形させることができる部材によって構成したことを特徴としている。
【００１０】
第５に、前記横線材６を、平面視湾曲した壁面に沿って予め湾曲させたことを特徴としている。
【００１１】
第６に、縦線材４の周面に、蔓植物が這うことを補助する補助部８を形成したことを特徴としている。
【００１２】
第７に、縦線材４の周面に軸回りに上下傾斜する複数のリブ２６を一体的に突出形成することにより、前記補助部８を構成したことを特徴としている。
【００１３】
第８に、縦線材４の周面にフレキシブルに変形するメッシュ状のシート２２を外装することにより、前記補助部８を構成したことを特徴としている。
【００１４】
第９に、前記シート２２が布であることを特徴としている。
【００１５】
第１０に、帯状をなす前記シート２２を螺旋状に縦線材４に巻きつけることにより、該シート２２を縦線材４に外装したことを特徴としている。
【考案の効果】
【００１６】
以上のように構成される本考案によれば、段差のある壁面に沿って隣接する緑化ユニット同士を枠状の連結部材によって段違いに連結するにあたり、段差の程度に応じて連結部材の傾斜角を変更できるため、段差の程度に対応させて個別に連結部材を用意する必要が無く、設置をスムーズに行うことが可能になり、汎用性も向上するという効果がある。
【００１７】
また、緑化ユニットを建造物の壁面に沿って配置するにあたり、横線材を該壁面側に突出する山形状に湾曲又は屈曲形成して取付部を構成し、該山形状をなす取付部の頂部を壁面側に取付けることにより、前記横線材が、緑化ユニットと壁面との間に隙間を形成するスペーサとしても機能するため、組立工程や部品点数が減少してコストを低く抑えることが可能になるという効果がある。
【００１８】
また、前記取付部を楔状に形成することにより、壁面の溝等の小さいスペースに該取付部の頂部側を挿入して緑化ユニットを壁面に取付けることができるという効果がある。
【００１９】
さらに、前記横線材を、平面視湾曲した壁面に沿って湾曲変形させることができる部材で構成するか、又は平面視湾曲した壁面に沿って予め湾曲させることにより、平面視で曲面形状を有している壁面に沿って緑化ユニットを容易に設置できるという効果がある。
【００２０】
なお、縦線材の周面に、蔓植物が這うことを補助する補助部を形成することにより、蔓植物の上方への生長を緑化ユニット自体で補助するため、壁面の緑化をより効率的に行うことが可能になるという効果がある。
【００２１】
また、縦線材の周面に軸回りに上下傾斜する複数のリブを一体的に突出形成することにより、補助部を縦線材の製造時に一体的に形成できるという効果がある。
【００２２】
また、縦線材の周面にフレキシブルに変形するメッシュ状のシートを外装することにより、蔓植物の根がシートに絡み付き易くなるため、蔓植物の上方への生長を緑化ユニット自体によってより効率的に補助できるという効果がある。
【００２３】
さらに、前記シートを布とすることにより、縦線材に外装されるシートの保水性が向上するため、シートに蔓植物の生育をより行い易くなるという効果がある。
【００２４】
また、帯状をなす前記シートを螺旋状に縦線材に巻きつけることにより、該シートを縦線材に外装する作業がより容易になるという効果がある。
【図面の簡単な説明】
【００２５】
【図１】本考案を適用した壁面緑化体によって建造物の壁面に設定した状態を示す正面図である。
【図２】本考案を適用した壁面緑化体によって建造物の壁面に設定した状態を示す側面図である。
【図３】本考案を適用した壁面緑化体によって建造物の壁面に設定した状態を示す平面図である。
【図４】連結具の側面図である。
【図５】（Ａ）は縦線材の外周面に補助部を設ける手段を示す側面図であり、（Ｂ）は補助部を設けた状態の縦線材の斜視図である。
【図６】補助部の他例を示す正面図である。
【図７】本考案の別実施形態を示す緑化ユニットの平面図である。
【考案を実施するための形態】
【００２６】
図１乃至３は、本考案を適用した壁面緑化体によって建造物の壁面に設定した状態を示す正面図、側面図及び平面図である。同図に示すように、壁面緑化体は建造物の壁面に設置される。この壁面は、略垂直に立上る手前側壁及び奥側壁と、手前側壁と奥側壁を一体的に連接する略水平な段面とから構成されて、段面の前後長分だけ段差を有している。上記壁面緑化体は、左右上下に並列された方形面状の複数の緑化ユニット２と、手前側壁側と奥側壁側とに配されて上下に隣合う緑化ユニット２同士をその段差に対応させて段違いに連結する方形枠状の連結部材３とを備えており、該壁面緑化体は、緑化ユニット２の数を増減させることにより様々な面積の壁面の略全体を覆うことが可能なように構成されている。
【００２７】
上述した緑化ユニット２は、等間隔に配置された複数（図示する例では７本）の上下方向の金属製縦線材４と、等間隔で架渡された複数（図示する例では３本）の左右方向の金属製横線材６とを互いが交差（図示する例では直交）するように重ね合せるとともに該縦線材４と横線材６の交差部同士を溶接等によって連接固定することにより構成され、全体として格子状の方形枠状をなしている。
【００２８】
緑化ユニット２はビル等の建造物の壁面に所定間隔を空けて略平行状態で取付固定され、上下方向の細長く延びる円柱状に形成された上述の縦線材４に蔓植物を絡ませて上方に生長させることによって前記壁面を緑化させるが、この際、縦線材４の周面には蔓植物が這うことを補助する後述の補助部８（図４参照）が設けられている。ちなみに蔓植物は、通常、壁面下端側に植付けられる。
【００２９】
この緑化ユニット２の壁面への取付けについて具体的に説明すると、左右方向に細長く延びる円柱状に形成された上述の横線材６の一部は、建造物（壁面）側に突出する山形状に湾曲又は屈曲（図示する例では屈曲）されて取付部９を構成している。この取付部９は、縦線材４との交差箇所を避けるようにして横線材６の両端部側に、夫々１つづつ設けられている。
【００３０】
この各取付部９の頂部を取付具１１によって壁面に取付固定することにより、前記緑化ユニット２が所定間隔を介して略平行状態で壁面に取付けられる。言換えると、横線材６の取付部９が緑化ユニット２と壁面との間に介在されるスペーサとして機能している。
【００３１】
また、この取付部９は山形でも特に突出側が尖った楔形をなし、波板状又は折板状に形成された壁面の幅狭の溝に挿入可能であるため、取付部９の頂部を壁面の溝の底部に安定的に取付固定させることが可能である。すなわち、該緑化ユニット２は、フラットでない凹凸の連続するような壁面にも容易に取付けできる。
【００３２】
取付具１１は、側面視半円状に湾曲されて横線材６の外周面に嵌合する保持部１２と、方形状の取付座１３とを上下に備えて該保持部１２及び取付座１３が一体成形された金属製の部材である。取付具１１と壁面との間に位置する横線材６（取付部９）の外周が保持部１２に嵌合されるようにして、取付具１１の取付座１３を壁面に面状に当接させ、該壁面に取付座１３をタッピングネジ１５等で固定することにより、横線材６の取付部９を壁面に取付ける。
【００３３】
このようにして緑化ユニット２を壁面に取付固定するが、この際、左右で隣接する緑化ユニット２同士や、段差以外箇所において上下で隣接する緑化ユニット２同士を、連結具１４によって補助的に連結する。
【００３４】
具体的には、左右で隣接させる左右一対の緑化ユニット２は、対応する横線材６同士が互いに一部でラップして束ねることが可能なように、左右位置及び上下位置を定めた状態で、上述の取付具１１によって壁面に取付固定され、この束ねた横線材６同士を連結具１４によって連結固定する。一方、段差以外の箇所において上下で隣接させる上下一対の緑化ユニット２同士は、上側の緑化ユニット２の縦線材４の下端側と、下側の緑化ユニット２の縦線材４の上端側とが全長方向全体に亘り束ねることが可能なように、左右位置及び上下位置を定めた状態で、上述の取付具１１によって壁面に取付固定され、この束ねた縦線材４同士を連結具１４によって連結固定する。
【００３５】
図４は、連結具の側面図である。連結具１４は、方形状プレートを湾曲及び屈曲形成することにより、側面視Ｃ形状をなす挿入部１６と、挿入部１６の両端部から挿入部１６から離間する側に突出する締付部１７とから構成されている。挿入部１６に連結対象となる隣接する緑化ユニット２の一対の横線材６を上下又は前後に密着させた状態で挿入し、対向する締付部１７同士ボルト及びナットによって締付けることにより、挿入部１６に挿入された横線材６同士が連結固定される。
【００３６】
なお、上記のように構成される緑化ユニット２は、取付部９の頂部を固定できる面があれば壁面でなくても取付固定可能であり、例えば、建造物の左右の支持柱の間に緑化ユニット２を架渡して取付部９を取付具１１によって該支柱に取付固定することによって、支持柱の間の仕切り又は壁面として該緑化ユニット２を使用してもよい。
【００３７】
上述した連結部材３は、図１乃至３に示すように、互いに平行に向い合うように並べられた一対の左右方向の横線材６と、一対の横線材６の間に架設されるように横線材６の交差方向（図示する例では直交方向）に延びる上下方向の並列された複数の縦線材４とを、各交差部分同士で溶接等により固定することにより、全体として左右方向に長い方形枠状に形成されている。
【００３８】
そして、緑化ユニット２及び連結部材３の隣接する一対の横線材６を前記連結具１４のＣ形状をなす挿入部１６に挿入し、締付部１７同士をボルト及びナットによって締着固定することにより、緑化ユニット２と連結部材３とを連結固定するが、この際、ボルト及びナットにより締付力を弱めることにより、上記挿入部１６に挿通された横線材６を支点に連結部材３を上下回動させることが可能である。
【００３９】
このため、手前側壁側と奥側壁側に配置される両緑化ユニット２を、連結部材３によって連結するにあたり、一方の壁面側に配置した緑化ユニット２と連結部材３とを連結させた後、段差の程度に応じて(具体的には、段面の前後長に応じて)、前述の上下回動によって連結部材３の傾斜角を調整し、他方の壁面側の上下位置を調整して適した位置に配置された緑化ユニット２と連結部材３とを連結して、両緑化ユニット２に連結部材３を固定する。このようにして、個別に連結部材３を設けること無く、様々な段差を有する壁面に本壁面緑化体を設定可能になる。
【００４０】
また、両緑化ユニット２の少なくとも一方（図示する例では手前側壁側の緑化ユニット２）における段面寄り箇所に連結部材３を連結固定するための連結用横線材２１を別途設けてもよい。この連結用横線材２１を設置することにより、連結部材３の汎用性がさらに向上する。
【００４１】
以上のように、様々な段差に応じて傾斜角を調整し、段差を介して隣接する緑化ユニット２同士を段違いに連結できるため、段差に沿って壁面の下端から上方側に連続的に延設された壁面緑化体を設置することが可能である。
【００４２】
次に、図５に基づき、補助部の構成について説明する。
図５（Ａ）は縦線材の外周面に補助部を設ける手段を示す側面図であり、（Ｂ）は補助部を設けた状態の縦線材の斜視図である。補助部８は、保水性があってフレキシブルに変形する不織布２２（布，メッシュ状のシート）によって、連結部材３及び緑化ユニット２の縦線材４の外周を覆うことにより構成されている。
【００４３】
不織布２２を縦線材４に外装する手段について説明すると、フレキシブルに変形可能な筒状部材２３の外周を上記不織布２２で覆った状態で、該筒状部材２３及び不織布２２に螺旋状の切り込みをいれることにより、螺旋状をなす帯状の外装体を形成し、この外装体を螺旋状に縦線材４に巻き付けることにより、縦線材４に不織布２２を外装する。このような手段によって、壁面緑化体を壁面に設置した後であっても、容易に、補助部８を縦線材４に設けることが可能になる。この補助部８には、蔓植物の根等が絡みやすく、縦線材４の外周側に蔓植物が這うことを補助する。
【００４４】
また、前記補助部８は、緑化ユニット２を壁面側に設置した後であっても、縦線材４の任意の位置に容易に設けることができるため、壁面際に植栽した蔓植物が上手く巻き付いていない縦線材４の箇所に前記補助部８を重点的に取付け、効率良く蔓植物を緑化ユニット２に沿って生長させることもできる。
【００４５】
次に、図６に基づき、補助部の他例について上述の例と異なる点を説明する。
図６の補助部の他例を示す正面図である。図示する補助部８は、緑化ユニット２及び連結部材３の縦線材４の外周面に、縦線材４の軸回り方向に対して上下に傾斜するリブ２６を一体的に突出形成することにより構成されている。該リブ２６は、縦線材４の外周面に螺旋状に巻き付くような形状に成形され、縦線材４の軸方向に複数等間隔に並べて配置されている。構成では、壁際に植栽された蔓植物が、蔓植物が縦線材４のリブに引っ掛り、リブ２６に沿って縦線材４の周面に巻き付つきながら上方に向かって効率的に生長させることが可能になる。
【００４６】
次に、図７に基づき、本考案の別実施形態について説明する。
図７は、本考案の別実施形態を示す緑化ユニットの平面図である。図示する例により、緑化ユニット２は、緑化ユニット２を構成する横線材６を平面視湾曲した壁面形状に沿って湾曲させた状態で壁面側に取付けられている。
【００４７】
前記緑化ユニット２の横線材６は、弾性変形又は塑性変形可能な部材からなり、前記緑化ユニット２を壁面側に固定する際に壁面の形状に沿ってこの横線材６を湾曲させて取付部９を壁面側に固定できるように構成されている。このため、緑化ユニット２を設置する際に湾曲した壁面形状に合せて横線材６を湾曲させることができるため、様々な壁面形状に対応して緑化ユニット２を設置することができる。
【００４８】
なお、前記横線材６を緑化ユニット２形成時に予め湾曲形成する構成としても良い。当該構成により、横線材６により剛性の高い素材を用いることが可能になるため、強度が高い緑化ユニット２を、平面視湾曲した壁面に設置できる。
【符号の説明】
【００４９】
２    緑化ユニット
３    連結部材
４    縦線材
６    横線材
８    補助部
９    取付部
２２    不織布（シート）
２６    リブ
【図１】
0003161337.tif 000003
【図２】
0003161337.tif 000004
【図３】
0003161337.tif 000005
【図４】
0003161337.tif 000006
【図５】
0003161337.tif 000007
【図６】
0003161337.tif 000008
【図７】
0003161337.tif 000009